(57)【特許請求の範囲】
【請求項１】
両側縁に長手方向に沿って係合部を有する断面角形状の紐状体を螺旋状に巻き付け、隣接する紐状体同士を係合部で係合することにより筒状に形成した常温収縮性カバー用の拡径保持材において、前記紐状体に潤滑材流出穴を設けたことを特徴とする常温収縮性カバー用の拡径保持材。
【請求項２】
前記潤滑材流出穴は紐状体のいずれか一方または両方の係合部に設けたことを特徴とする請求項１記載の常温収縮性カバー用の拡径保持材。
【発明の詳細な説明】
【０００１】
【発明の属する技術分野】
本発明は常温収縮性カバー用の拡径保持材に関するものである。
【０００２】
【従来の技術】
最近、電線、ケーブル、パイプ等の接続部等を構成する装着対象物を電気絶縁被覆、防水保護、或いは補修するために、当該装着対象物に装着される収縮性カバーとして、熱収縮性カバーのほかに、常温収縮性カバーも用いられている。
この常温収縮性カバー１は、図７に示すように、ゴム状弾性を有するシリコーンゴムやＥＰゴム等よりなる筒状体で構成され、拡径保持材２の外周に拡径状態で保持される。
【０００３】
また、拡径保持材２は、図７及び図８（イ）（ロ）に示すように、一方の側縁に係合部であるＬ形フック３ａを有し、他方の側縁に係合部である逆Ｌ形フック３ｂを有し、ポリプロピレン、ポリエチレン、ポリ塩化ビニール等よりなる断面角形状の紐状体３を螺旋状に巻き付け、隣接する紐状体３のＬ形フック３ａと逆Ｌ形フック３ｂとをかみ合わせて係合することにより筒状に形成し、更に係合状態を補強するために、逆Ｌ形フック３ｂの外周面を紐状体３の長手方向にそってミシン目状に超音波溶接等して接合することにより得られる。
【０００４】
この常温収縮性カバー１を、図７に示すように、拡径保持材２に被せて装着するには、例えば、図９に示すように、拡径保持材支持部４ａとその先端にテーパ付ガイド部４ｂとを有する拡径治具４の拡径保持材支持部４ａの外周に、予め拡径保持材２を被せ、拡径保持材支持部４ａの後部に取り付けたストッパ５にて保持する。次に、常温収縮性カバー１が拡径保持材２の外周面を滑り易いように、拡径治具４のテーパ付ガイド部４ｂ及び拡径保持材２の表面にシリコーンオイル、シリコーングリース、フッ素オイル、エチレングリコール、パラフィンワックス、水等の潤滑材６を塗布又は付着させる。次に、常温収縮性カバー１を矢印方向に移動させて拡径治具４のテーパ付ガイド部４ｂに圧入して拡径させながら拡径保持材２に装着する。次に、ストッパ５を取り外し、常温収縮性カバー１を押さえながら、拡径治具４を図の左方へ移動させて拡径保持材２から抜き取る。
【０００５】
このようにして、図７に示すような、拡径保持材２で拡径保持された常温収縮性カバー１を、装着対象物（図示せず）に装着する場合には、この常温収縮性カバー１を装着対象物の外周に嵌めて位置決めした状態で、拡径保持材２の一方の端部（図７の左側）から紐状体３を引き出し、この紐状体３を拡径保持材２内に通して他方の端部（図７の右側）側へ引き抜くことにより、拡径保持材２を一方の端部側から順次解体除去し、常温収縮性カバー１を自己収縮させて装着対象物に密着させることにより行う。
【０００６】
【発明が解決しようとする課題】
常温収縮性カバー１を拡径治具４に圧入して拡径保持材２に拡径保持し易くするために、予め拡径治具４及び拡径保持材２の表面に潤滑材６を塗布等するので、常温収縮性カバー１を拡径保持材２で拡径保持した後、拡径保持材２の外周面と常温収縮性カバー１の内周面との微小隙間（界面）、特に長手方向の中央部分の微小隙間に潤滑材６が密封され残留し易い（図７参照）。
そうすると、この常温収縮性カバー１を使用に備えて保管中、又は、これを装着対象物に装着して使用中、常温収縮性カバー１が潤滑材６によって侵されて劣化し、強度や弾性力が弱くなり、その電気絶縁性能、防水性能等が低下してカバーとしての機能を長期間にわたり安定して維持させることができず、耐寿命性が低下する問題があった。
また、拡径保持材２も同様に劣化して強度が弱くなり、座屈変形して常温収縮性カバーを長期間保管することができなくなる問題もあった。
【０００７】
本発明は、上記課題を解決し、常温収縮性カバー及び拡径保持材の潤滑材による劣化を防止し、カバー及び拡径保持材としての機能を長期間にわたり安定して維持できるようにした常温収縮性カバー用の拡径保持材を提供することを目的とする。
【０００８】
上記目的を達成するために、本発明の請求項１に記載された常温収縮性カバー用の拡径保持材は、両側縁に長手方向に沿って係合部を有する断面角形状の紐状体を螺旋状に巻き付け、隣接する紐状体同士を係合部で係合することにより筒状に形成した拡径保持材において、前記紐状体に潤滑材流出穴を設けたものである。
【０００９】
このような構成により、拡径保持材への常温収縮性カバーの装着を容易にするために拡径保持材の表面に塗布又は付着させた潤滑材が、常温収縮性カバーの装着後に、拡径保持材の外周面と常温収縮性カバーの内周面との微小隙間に介在しても、これを拡径保持材の紐状体に設けられた潤滑材流出穴を通してすみやかに流出させて抜くことができる。
このため、潤滑材が拡径保持材の外周面と常温収縮性カバーの内周面との微小隙間に残留しなくなり、この常温収縮性カバーを使用に備えて保管中、又は、これを装着対象物に装着して使用中、常温収縮性カバーが潤滑材によって侵されて劣化することがなくなり、従って、強度や弾性力が弱くなることがなくなり、その電気絶縁性能、防水性能等の低下を防止し、常温収縮性カバーの機能を長期間にわたり安定して維持させることができる。
また、拡径保持材も潤滑材によって劣化する恐れもなくなるので、強度が低下せず、座屈変形を起こさないので、常温収縮性カバーを長期間保管することができる。
【００１０】
また、本発明の請求項２に記載された拡径保持材は、前記請求項１に記載されたものにおいて、前記潤滑材流出穴を紐状体のいずれか一方または両方の係合部に設けるようにしたものである。
このような構成によると、拡径保持材と常温収縮性カバーの前記微小隙間に挟まれた潤滑材が拡径保持材を構成する紐状体の係合部を通って流出して拡径保持材から抜け出るので、その係合部が潤滑材で潤滑される。
このため、常温収縮性カバーを装着対象物に被せて装着する際、拡径保持材の紐状体を途中で装着対象物に絡まることなく円滑に引き抜くことが可能となり、拡径保持材の解体除去が容易になり、常温収縮性カバーの装着対象物への装着作業能率を向上することができ好ましい。
【００１１】
【発明の実施の形態】
次に本発明に係る常温収縮性カバー用の拡径保持材の実施形態を図面により説明する。図１及び図２は本発明の拡径保持材１０の第１実施形態を示すものである。この拡径保持材１０は、図２（イ）（ロ）に示すような、一方の側縁に長手方向に沿って係合部の例えばＬ形フック１２ａを有し、他方の側縁に長手方向に沿って係合部の例えば逆Ｌ形フック１２ｂを有し、ポリプロピレン、ポリエチレン、ポリ塩化ビニール等よりなる断面角形状（帯形状を含む）の紐状体１２を螺旋状に巻き付け、隣接する紐状体１２のＬ形フック１２ａと逆Ｌ形フック１２ｂとをかみ合わせて係合することにより円筒状に形成し、必要に応じて前記Ｌ形フック１２ａ及び逆Ｌ形フック１２ｂの係合状態を補強するために、逆Ｌ形フック１２ｂの外周面を紐状体１２の長手方向にそってミシン目状に超音波溶接等して接合することにより得られる。
【００１２】
このような拡径保持材１０の構成は従来のものと同一である。本発明の拡径保持材１０は、その主要構成である紐状体１２に潤滑材流出穴１４を設けたことを特徴とする。第１実施形態の拡径保持材１０においては、この潤滑材流出穴１４が、図１及び図２に示すように、矩形状を有し、前記紐状体１２のＬ形フック１２ａ及び逆Ｌ形フック１２ｂの係合溝底に紐状体１２の長手方向に沿って所定間隔をおいて複数設けられる。この潤滑材流出穴１４は紐状体１２を螺旋状に巻き付けて筒状に形成する前に設けられる。
【００１３】
この拡径保持材１０は、電線、ケーブル、パイプ等の接続部等を構成する装着対象物を電気絶縁被覆、防水保護、或いは補修するために、当該装着対象物に装着されるゴム状弾性を有するシリコーンゴム、ＥＰゴム、スチレンブタジエンゴム、クロロプレンゴム、ウレタンゴム等よりなる筒状の常温収縮性カバー１６を拡径状態で保持するために使用される。図３はこの拡径保持材１０に常温収縮性カバー１６を装着し、これを拡径状態で保持した状態を示すものである。
【００１４】
この拡径保持材１０に常温収縮性カバー１６を拡径して装着するためには、従来技術で説明した拡径治具等を用いるが、常温収縮性カバー１６を拡径して円滑に装着するために、通常、拡径治具及び拡径保持材１０の表面に、予めシリコーンオイル、シリコーングリース、フッ素オイル、エチレングリコール、パラフィンワックス、水等の潤滑材を塗布又は付着させる。この場合、潤滑材が常温収縮性カバー１６の拡径保持材１０への装着後に、拡径保持材１０の外周面と常温収縮性カバー１６の内周面との微小隙間に介在するが、前記潤滑材流出穴１４を通りすみやかに流出して図３の矢印方向へ抜けるので、潤滑材が拡径保持材１０の外周面と常温収縮性カバー１６の内周面との微小隙間に残留するのを防止することができる。
【００１５】
なお、潤滑材流出穴１４の形状は正方形状、円形状、楕円形状等でもよい。また、潤滑材流出穴１４は紐状体１２の係合部であるＬ形フック１２ａ及び逆Ｌ形フック１２ｂのいずれか一方のフック側に設けてもよい。また、潤滑材流出穴１４は紐状体１２の長手方向の全長にわたり設けてもよいし、或いは、拡径保持材１０において、潤滑材が残留し易い個所、例えば、中央付近の紐状体に設けるようにしてもよい。
【００１６】
図４及び図５は本発明の拡径保持材１８の第２実施形態を示すものである。この拡径保持材１８は、図５（イ）（ロ）に示すように、紐状体１２の両側縁に有する係合部のＬ形フック１２ａ及び逆Ｌ形フック１２ｂの部分を除く紐状体１２の本体部分１２ｃに例えば矩形状の潤滑材流出穴１４を設けたものであり、その他の構成は第１実施形態の拡径保持材１０と同じである。この潤滑材流出穴１４は図示するものでは、紐状体１２の本体部分１２ｃの長手方向に沿って所定間隔をおいて複数設けられる。また、この潤滑材流出穴１４は紐状体１２の本体部分１２ｃに紐状体１２の全長にわたり設けてもよいし、或いは、拡径保持材１８で潤滑材が残留し易い個所、例えば、中央付近の紐状体に設けるようにしてもよい。また、この潤滑材流出穴１４は、紐状体１２の本体部分１２ｃに、複数列（図示のものは１列）に設けるようにしてもよい。
【００１７】
図６はこの拡径保持材１８に常温収縮性カバー１６を装着し、これを拡径状態で保持した状態を示すものである。このような拡径保持材１８を使用しても、拡径保持材１８の外周面と常温収縮性カバー１６の内周面との微小隙間に介在する潤滑材が、前記潤滑材流出穴１４を通りすみやかに流出して図６の矢印方向へ抜けるので、潤滑材が拡径保持材１８の外周面と常温収縮性カバー１６の内周面との微小隙間に残留するのを防止することができる。
【００１８】
【発明の効果】
以上説明したように、本発明の常温収縮性カバー用の拡径保持材は、両側縁に長手方向に沿って係合部を有する断面角形状の紐状体を螺旋状に巻き付け、隣接する紐状体同士を係合部で係合することにより筒状に形成したものにおいて、前記紐状体に潤滑材流出穴を設けたので、潤滑材が拡径保持材の外周面と常温収縮性カバーの内周面との微小隙間に残留することがなくなり、常温収縮性カバーの保管中や装着対象物へ装着して使用中に、常温収縮性カバーが劣化して、強度や弾性力が弱くなることがなくなり、その電気絶縁性能、防水性能等の低下を防止し、常温収縮性カバーの機能を長期間にわたり安定して維持させることができ、耐寿命性を向上させることができる。また、拡径保持材も潤滑材によって劣化することがなくなるので、強度が低下して座屈変形するようなこともなくなり、常温収縮性カバーを長期間保管することができる。
【００１９】
また、前記潤滑材流出穴を紐状体のいずれか一方または両方の係合部に設けるようにすると、その係合部が潤滑材で潤滑されるため、常温収縮性カバーを装着対象物に被せて装着する際、拡径保持材の紐状体を途中で装着対象物に絡まることなく円滑に引き抜くことが可能となり、拡径保持材の解体除去が容易になり、常温収縮性カバーの装着対象物への装着作業を能率よく行うことができ好ましい。
【図面の簡単な説明】
【図１】本発明に係る常温収縮性カバー用の拡径保持材の第１実施形態を示す縦断面図である。
【図２】図１の拡径保持材を構成する紐状体を示すもので、（イ）は平面図、（ロ）は（イ）のＸ−Ｘ線矢視断面図である。
【図３】図１の拡径保持材に常温収縮性カバーを装着し、これを拡径状態で保持した状態を示す一部縦断面側面図である。
【図４】本発明に係る常温収縮性カバー用の拡径保持材の第２実施形態を示す縦断面図である。
【図５】図４の拡径保持材を構成する紐状体を示すもので、（イ）は平面図、（ロ）は（イ）のＸ−Ｘ線矢視断面図である。
【図６】図４の拡径保持材に常温収縮性カバーを装着し、これを拡径状態で保持した状態を示す一部縦断面側面図である。
【図７】従来の拡径保持材に常温収縮性カバーを装着し、これを拡径状態で保持した状態を示す一部縦断面側面図である。
【図８】従来の拡径保持材を構成する紐状体を示すもので、（イ）は平面図、（ロ）は（イ）のＸ−Ｘ線矢視断面図である。
【図９】従来の拡径保持材に常温収縮性カバーを装着する状態を示す説明図である。
【符号の説明】
１０、１８  拡径保持材
１２        紐状体
１２ａ      Ｌ形フック
１２ｂ      逆Ｌ形フック
１２ｃ      本体部分
１４        潤滑材流出穴
１６        常温収縮性カバー
【図１】
0004460038.tif 000002
【図２】
0004460038.tif 000003
【図３】
0004460038.tif 000004
【図４】
0004460038.tif 000005
【図５】
0004460038.tif 000006
【図６】
0004460038.tif 000007
【図７】
0004460038.tif 000008
【図８】
0004460038.tif 000009
【図９】
0004460038.tif 000010